(57)【特許請求の範囲】
【請求項１】
浴室の壁面に取り付けられる管継手と、一端側が前記管継手に接続されたシャワーホースと、前記シャワーホースの他端側に接続されたシャワーヘッドとを有する浴室用シャワー装置であって、
前記浴室の下方に設けられた水栓機構部と接続される下端側接続部から、前記管継手と接続される上端側接続部へと、前記壁面の裏面に沿って下方側から上方側に延びるように配設された壁裏シャワー配管を備え、
前記管継手は、前記シャワーヘッド及び前記シャワーホースが自重により前記管継手から垂下した状態で、前記シャワーヘッドが前記浴室の床面に接触しない高さ位置で前記壁面に取り付けられ、
前記浴室下方に備えられたカウンタと、
前記シャワーヘッドを上下に異なる選択的位置で保持可能な一又は複数のシャワーフックを有するシャワーヘッド保持部と、を備え、
前記管継手は、前記シャワーヘッドが前記シャワーヘッド保持部により前記選択的位置の下限位置で保持されているときに、前記シャワーホースが前記管継手と前記シャワーフックとの間で垂下した折り返し部分が前記カウンタ上面に接触しない高さ位置で前記壁面に取り付けられ、
前記浴室に、前記壁面に接する他の壁面から前記浴室の内側に突出し縁部が前記壁面に対向するように棚が配置され、
前記管継手は、前記シャワーヘッドが前記シャワーヘッド保持部により保持されているときに、前記シャワーホースが前記管継手から垂下した部分が、前記棚の縁部と前記壁面との間に収まるように前記他の壁面からの距離が選択されて前記壁面に取付けられている浴室用シャワー装置。
【請求項２】
前記管継手に形成されたねじ部が螺合するねじ部を一端側に有し前記壁面を貫通する筒状部と、この筒状部の前記一端側に形成されたフランジ部とを持ち、前記管継手と前記壁裏シャワー配管とを接続する接続部材と、
前記接続部材の浴室内側及び壁裏側に各対応して配された室内側押圧部材及び壁裏側押圧部材により前記壁面を前記フランジ部を挟んで挟持押圧することで前記接続部材の回転を阻止する回転止め構造部と、
を有する請求項１に記載の浴室用シャワー装置。
【請求項３】
前記壁裏シャワー配管は、前記壁面の裏面で屈曲している請求項１または２に記載の浴室用シャワー装置。
【請求項４】
前記管継手は、上端位置が前記シャワーヘッド保持部の前記選択的位置の上限位置と略同じ高さ位置で前記壁面に取り付けられている請求項１から３の何れか一項に記載の浴室用シャワー装置。
【発明の詳細な説明】
【技術分野】
【０００１】
本発明は、浴室用シャワー装置に関する。
【背景技術】
【０００２】
浴室用シャワー装置において、シャワーヘッドをハンドシャワーとして使用しているときに不用意にシャワーヘッドから手を放してしまうと、シャワーヘッドが落下して床面に当たってしまうおそれがあった。一方、シャワーフックにシャワーヘッドを掛止して使用する場合、垂れ下がったシャワーホースが、水栓を操作するときの妨げになったり、洗い場の床面の清掃の妨げになったりするという問題点があった。
なお、シャワーホースを浴室の床面から比較的高いところに取付けることにより、シャワーホースの垂れ下がった部分が邪魔になり難い浴室用シャワー装置も提案されている（例えば、特許文献１参照）。
【先行技術文献】
【特許文献】
【０００３】
【特許文献１】特開２００３−２１０３４６号公報
【発明の概要】
【発明が解決しようとする課題】
【０００４】
しかしながら、特許文献１の浴室用シャワー装置においても、シャワーヘッドから不用意に手を放してしまうと、シャワーヘッドが落下して床面に当たってしまうおそれは解消されない。
【０００５】
本発明は、上記事情に鑑みてなされたものであり、ユーザが不用意にシャワーヘッドから手を放しても、落下したシャワーヘッドが床面に当たってしまうおそれを解消した浴室用シャワー装置を提供することを目的とする。
【課題を解決するための手段】
【０００６】
上記目的を達成するため、本発明の浴室用シャワー装置（例えば、後述する浴室用シャワー装置１００）は、浴室（例えば、後述する浴室ユニット１）の壁面（例えば、後述するドア側壁パネル１４の内側の壁面１４ａ）に取り付けられる管継手（例えば、後述するシャワーエルボ１１０）と、一端側が前記管継手に接続されたシャワーホース（例えば、後述するシャワーホース１２０）と、前記シャワーホースの他端側に接続されたシャワーヘッド（例えば、後述するシャワーヘッド１３０）とを有する浴室用シャワー装置であって、前記浴室の下方に設けられた水栓機構部（例えば、後述する水栓機構部５）と接続される下端側接続部（例えば、後述する下端側接続部１５１）から、前記管継手と接続される上端側接続部（例えば、後述する上端側接続部１５２）へと、前記壁面の裏面（例えば、後述するドア側壁パネル１４の裏面１４ｂ）に沿って下方側から上方側に延びるように配設された壁裏シャワー配管（例えば、後述する壁裏シャワー配管１５０）を備え、前記管継手は、前記シャワーヘッド及び前記シャワーホースが自重により前記管継手から垂下した状態で、前記シャワーヘッドが前記浴室の床面（例えば、後述する浴室ユニット１の洗い場床３）に接触しない高さ位置で前記壁面に取り付けられている。
【０００７】
前記浴室用シャワー装置は、前記浴室下方に備えられたカウンタ（例えば、後述するカウンタ２０）と、前記シャワーヘッドを上下に異なる選択的位置で保持可能な一又は複数のシャワーフック（例えば、後述するスライドシャワーフック１４１）を有するシャワーヘッド保持部（例えば、後述するシャワーヘッド保持部１４０）と、を備え、前記管継手は、前記シャワーヘッドが前記シャワーヘッド保持部により前記選択的位置の下限位置で保持されているときに、前記シャワーホースが前記管継手と前記シャワーフックとの間で垂下した折り返し部分（例えば、後述する折り返し部分１２０ｍ）が前記カウンタ上面に接触しない高さ位置で前記壁面に取り付けられていることが好ましい。
【０００８】
また、前記浴室に、前記壁面に接する他の壁面（例えば、後述する壁パネル１１）から前記浴室の内側に突出し縁部が前記壁面に対向するように棚（例えば、後述する棚６１、６２、６３）が配置され、前記管継手は、前記シャワーヘッドが前記シャワーヘッド保持部により保持されているときに、前記シャワーホースが前記管継手から垂下した部分が、前記棚の縁部と前記壁面との間に収まるように前記他の壁面からの距離が選択されて前記壁面に取付けられていることが好ましい。
【０００９】
また、前記管継手に形成されたねじ部が螺合するねじ部を一端側に有し前記管継手と前記壁裏シャワー配管とを前記壁面を貫通する筒状部（例えば、後述する筒状部１６１）と、この筒状部の前記一端側に形成されたフランジ部（例えば、後述するフランジ部１６３）とを持ち、前記管継手と前記壁裏シャワー配管とを接続する接続部材（例えば、後述する接続部材１６０）と、
前記接続部材の浴室内側及び壁裏側に各対応して配された室内側押圧部材（例えば、後述する室内側押圧部材２１０）及び壁裏側押圧部材（例えば、後述する壁裏側押圧部材２２０）により前記壁面を前記フランジ部を挟んで挟持押圧することで前記接続部材の回転を阻止する回転止め構造部（例えば、後述する２００）と、
を有することが好ましい。
【００１０】
また、前記壁裏シャワー配管は、前記壁面の裏面で屈曲していることが好ましい。
【００１１】
また、前記管継手は、上端位置が前記シャワーヘッド保持部の前記選択的位置の上限位置と略同じ高さ位置で前記壁面に取り付けられていることが好ましい。
【発明の効果】
【００１２】
本発明によれば、ユーザが不用意にシャワーヘッドから手を放しても、落下したシャワーヘッドが床面に当たってしまうおそれを解消した浴室用シャワー装置を具現することができる。
【図面の簡単な説明】
【００１３】
【図１】本発明の一実施形態としての浴室用シャワー装置を設備した浴室ユニットを上方から見込んだ様子を示す図である。
【図２】図１の浴室ユニットを浴室用シャワー装置が右側方に見える視野で示す図である。
【図３】図２の視野で浴室用シャワー装置のシャワーフックが下限位置にある場合を示す図である。
【図４】図１における浴室用シャワー装置の構成を説明する図である。
【図５】図４における浴室用シャワー装置の壁裏シャワー配管を示す図である。
【図６】図４における浴室用シャワー装置の管継手と壁裏シャワー配管との各対応部を壁面を貫通して接続する部分の構成を例示する図である。
【図７】図６の室内側押圧部材とこれに対応する壁裏側押圧部材とで壁を挟む回転止め構造部を示す図である。
【発明を実施するための形態】
【００１４】
以下、図面を参照しながら本発明の実施形態について詳述することにより本発明を明らかにする。
図１は、本発明の一実施形態としての浴室用シャワー装置を設備した浴室ユニットを上方から見込んだ様子を示す図である。
浴室ユニット１は、浴槽２に並んで洗い場床３が設けられている。この浴室ユニット１は、浴槽２の３方を図示にて反時計方向の順で囲む壁パネル１１、１２、１３と、ドア４が設けられた壁パネルであるドア側壁パネル１４とによって４周が囲まれて、極めてコンパクトに構成されている。
【００１５】
ドア側壁パネル１４の内側の壁面１４ａに、本発明の一実施形態としての浴室用シャワー装置１００の構成要素のうちのいくつかが配されている。
即ち、ドア側壁パネル１４の内側の壁面１４ａにおける比較的上方位置に、浴室用シャワー装置１００の構成要素である管継手としてのシャワーエルボ１１０が取付けられている。シャワーエルボ１１０にシャワーホース１２０の一端側が接続され、シャワーホース１２０の他端側にシャワーヘッド１３０が接続されている。
【００１６】
また、ドア側壁パネル１４の内側の壁面１４ａにはシャワーヘッド１３０を上下に位置調節可能に保持するスライドシャワーフック１４１と、スライドシャワーフック１４１を上下に移動可能に案内するスライドバー１４２と、が設けられている。スライドシャワーフック１４１及びスライドバー１４２はシャワーヘッド保持部１４０を構成する。
なお、壁パネル１３には、正面が縦長の長方形である鏡１５が取付けられている。
【００１７】
ここから、図１と共に、図２を併せ参照して説明する。
図２は、図１の浴室ユニット１を浴室用シャワー装置１００が右側方に見える視野で示す図である。図２において図１との対応部には同一の符号を附してある。
図２を参照して、既述のシャワーエルボ１１０とシャワーヘッド保持部１４０とに着目すると、管継手としてのシャワーエルボ１１０とシャワーヘッド保持部１４０とは、シャワーエルボ１１０の上端位置がシャワーヘッド保持部１４０のスライドシャワーフック１４１の上限位置よりも高くなるように相互に位置決めされている。また、シャワーエルボ１１０の上端位置と、シャワーヘッド保持部１４０のスライドバー１４２の上端位置（シャワーヘッド保持部１４０におけるシャワーヘッド１３０を上下に位置調節可能に保持する選択的位置の上限位置）と、鏡１５の上辺位置とが略同水準位置に揃っている。
【００１８】
図１及び図２を併せ参照して容易に理解されるとおり、浴室ユニット１の壁面１４ａと浴槽２との間に渡って、下方位置にカウンタ２０が設置されている。カウンタ２０は、浴室ユニット１の壁パネル１１に背面側が接するように配設され、上面２１の高さは浴槽２の縁部上面と略同程度である。また、上面２１の、カウンタ２０に対面する視座で右側の奥手に吐水部２２が設けられると共に、吐水部２２より手前側にシャワーヘッド１３０及び吐水部２２の湯水の吐出を操作する操作部２３が備えられている。
なお、本例のカウンタ２０は、上面２１の、カウンタ２０に対面する視座で中央から左側に広がる領域に、ユーザが腰かけることが可能な座面部２４が設けられたベンチカウンタを構成している。
また、図２では特に、シャワーヘッド１３０がスライドシャワーフック１４１に掛止されず、シャワーホース１２０及びシャワーヘッド１３０がシャワーエルボ１１０から自重で垂れ下がった様子が仮想線で示されている。
【００１９】
図２より容易に理解されるとおり、本実施形態では、管継手としてのシャワーエルボ１１０は、シャワーホース１２０及びシャワーヘッド１３０がシャワーエルボ１１０から自重で垂れ下がった状態でも、シャワーヘッド１３０が浴室ユニット１の洗い場床３に接触しない高さ位置で壁面１４ａに取り付けられている。
即ち、略真っ直ぐに伸ばしたシャワーホース１２０とシャワーヘッド１３０とを合わせた全長と、シャワーエルボ１１０の洗い場床３からの高さ位置との関係が、シャワーヘッド１３０をスライドシャワーフック１４１に掛けずに手放しても、シャワーヘッド１３０が洗い場床３に接触しないように設定されている。
【００２０】
また、図３を参照して説明するように、本実施形態では、管継手としてのシャワーエルボ１１０の高さ位置とシャワーホース１２０の長さ寸法とが、特定の関係を満たすように選択されている。
図３は、図２の視野で見た浴室用シャワー装置のシャワーフックが下限位置にある場合を示す図である。
図３において、既述の図２との対応部は同一の符号を附して示し、各部の説明は図２における説明を援用する。
図３を参照して容易に理解されるとおり、シャワーヘッド１３０がスライドシャワーフック１４１により位置調節の下限位置で保持されているときに、シャワーホース１２０がシャワーエルボ１１０とスライドシャワーフック１４１との間で垂れ下がった折り返し部分１２０ｍがカウンタ２０の上面２１に接触しない高さ位置で、シャワーエルボ１１０がドア側壁パネル１４の内側の壁面１４ａへ取り付けられている。
【００２１】
一方、壁面であるドア側壁パネル１４に接する他の壁面である壁パネル１１から浴室ユニット１の内側に突出し一方の縁部がドア側壁パネル１４に特定スペースｓを隔てて対向するように設けられ平面形状が概略方形の（本例では３つの）棚６１、６２、６３が配置されている。
管継手としてのシャワーエルボ１１０は、シャワーヘッド１３０がスライドシャワーフック１４１により保持されているときに、シャワーホース１２０がシャワーエルボ１１０から垂れ下がった部分が、特定スペースｓに収まるように壁パネル１１からの距離及びドア側壁パネル１４からの突出の程度が選択されて取付けられている。
【００２２】
図４は、図１における浴室用シャワー装置の構成を説明する図である。
図４は、特に、浴室用シャワー装置１００のうちドア側壁パネル１４の裏側の部分を含む配管系統を表している。
図４において、既述の図１及び図２との対応部には同一の符号が附してある。
吐水部２２と操作部２３が設けられたカウンタ２０の内部には、水栓機構部５が設けられている。水栓機構部５では、操作部２３からの操作によって切替バルブや湯水の混合バルブ等が作動し、操作に応じた温度及び流量の湯水がシャワー湯水供給配管５１を通して外部に供給される。より具体的には、シャワー湯水供給配管５１からの湯水は、壁裏シャワー配管１５０を通して管継手としてのシャワーエルボ１１０に、従って、その先のシャワーホース１２０を通してシャワーヘッド１３０に供給される。
【００２３】
壁裏シャワー配管１５０は、水栓機構部５のシャワー湯水供給配管５１と接続される下端側接続部１５１から、シャワーエルボ１１０と接続される上端側接続部１５２へと、壁面であるドア側壁パネル１４の裏面１４ｂに沿って下方側から上方側に延びるように配設されている。
壁裏シャワー配管１５０は、従来の一般的なシャワー配管に比し細径の銅管であり、結露防止と保護のための被覆が施される。
【００２４】
図５は、図４における浴室用シャワー装置の壁裏シャワー配管を示す図である。図５は、壁裏シャワー配管をドア側壁パネル１４の裏面１４ｂ側から見込む視座で示されている。
図５を参照して容易に理解されるとおり、壁裏シャワー配管１５０は、壁面であるドア側壁パネル１４の裏面１４ｂ側を既述の下端側接続部１５１から上方に延びて管継手としてのシャワーエルボ１１０への接続部である上端側接続部１５２に達する過程で屈曲している。即ち、ドア側壁パネル１４の裏面１４ｂに平行な面内で、一端側の下端側接続部１５１と他端側の上端側接続部１５２とを通る直線に沿わない複数の部分を有して屈曲している。
【００２５】
詳細には、壁裏シャワー配管１５０は、下端側接続部１５１を起点として上端側接続部１５２に向かう直線方向に沿って両端部間の半分程度の長さ延びた第１部分１５３と、第１部分１５３の末尾に上記直線より右に折れた向きで連なり第１部分１５３の３分の１程度の長さを有する第２部分１５４と、第２部分１５４の末尾に上記直線方向に沿って両端部間の半分よりも短い程度の長さ延びた第３部分１５５と、第３部分１５５の末尾に上記直線より左に折れた向きで連なり上端側接続部１５２に到る第４部分１５６とを有している。即ち、第１部分１５３と第３部分１５５は上記直線に沿っているが、第２部分１５４と第４部分１５６とが、上記直線に沿わず、壁裏シャワー配管１５０は全体として屈曲している。
【００２６】
図６は、図４における浴室用シャワー装置の管継手としてのシャワーエルボと壁裏シャワー配管との各対応部を壁面を貫通して接続する部分の構成を例示する図である。
図７は、図６の室内側押圧部材とこれに対応する壁裏側押圧部材とで壁を挟む回転止め構造部を示す図である。
次に、図６及び図７を参照して、シャワーエルボ１１０と壁裏シャワー配管１５０との接続構造、及び、回転止め構造部について説明する。
図６及び図７において、ドア側壁パネル１４は説明の便宜上透視しているが、ドア側壁パネル１４を貫通する筒状部１６１を有する接続部材１６０によって、管継手としてのシャワーエルボ１１０と壁裏シャワー配管１５０の上端側接続部１５２とが接続される。
【００２７】
図６に示されたとおり、シャワーエルボ１１０は、開放端側がシャワーホース１２０への接続部分であり他端側が閉塞された円筒状のホース接続部１１１と、一端側がホース接続部１１１に直交する向きで連なり他端側が接続部材１６０に接続される接続固定部１１２を有する。
図７の接続部材１６０は、筒状部１６１の内周面にシャワーエルボ１１０の接続固定部１１２の先端近傍の外周面に形成された雄ねじ（不図示）が螺合する雌ねじ１６２が形成されている。また、接続部材１６０には、筒状部１６１がドア側壁パネル１４の内側の壁面１４ａ内に突出した部分の周囲にフランジ部１６３が形成されている。
フランジ部１６３には、このフランジ部１６３の外形と相似な凹所が形成された樹脂製の室内側押圧部材２１０が被せられる。本例の室内側押圧部材２１０は、正面形状が略正方形であり、四隅に臨む４箇所にねじ孔２１１、２１１が設けられている。
【００２８】
室内側押圧部材２１０に対応して、ドア側壁パネル１４の裏面１４ｂ側に、図６に示されたように、壁裏側押圧部材２２０が設けられる。壁裏側押圧部材２２０は正面形状が略長方形であり、ドア側壁パネル１４の裏面１４ｂ側にねじ止めするための複数のねじ穴２２１、２２１が設けられる。即ち、これら複数のねじ穴２２１、２２１に対応する各ねじ２２１ａ、２２１ａによって、壁裏側押圧部材２２０がドア側壁パネル１４の裏面１４ｂ側にねじ止めされる。
本例では特に、ドア側壁パネル１４へのねじ止め用の上述のねじ穴２２１、２２１の位置と、室内側押圧部材２１０のねじ孔２１１、２１１の位置との抵触を避けるために、室内側押圧部材２１０と壁裏側押圧部材２２０とは、それらの各正面形状における対角線が重複しないような位置関係に配置される。
【００２９】
壁裏側押圧部材２２０にはまた、ドア側壁パネル１４へのねじ止め用の既述のねじ穴２２１、２２１の他に、室内側押圧部材２１０と壁裏側押圧部材２２０とによってドア側壁パネル１４を両面から挟み込んで締結を行うボルト２２２ａを通すためのねじ孔２２２が設けられている。室内側押圧部材２１０と壁裏側押圧部材２２０とは、これらによってドア側壁パネル１４を、間に接続部材１６０のフランジ部１６３を挟んで、両面から挟持押圧することで接続部材１６０の回転を阻止する回転止め構造部２００を構成している。
図７を参照して説明したような室内側押圧部材２１０に、図６におけるような、例えば、クロームメッキした化粧カバー２３０が圧入により被せられる。
【００３０】
以上述べた本実施形態によれば、以下の効果が奏される。
（１）本実施形態の浴室用シャワー装置１００では、浴室ユニット１の下方に設けられた水栓機構部５と接続される下端側接続部１５１から、管継手としてのシャワーエルボ１１０と接続される上端側接続部１５２へと、ドア側壁パネル１４の裏面１４ｂに沿って下方側から上方側に延びるように配設された壁裏シャワー配管１５０を備え、シャワーエルボ１１０は、シャワーヘッド１３０及びシャワーホース１２０が自重によりシャワーエルボ１１０から垂下した状態で、シャワーヘッド１３０が浴室ユニット１の洗い場床３に接触しない高さ位置でドア側壁パネル１４内側の壁面１４ａに取り付けられている。
このため、ユーザが不用意にシャワーヘッド１３０から手を放しても、落下したシャワーヘッド１３０が洗い場床３に当たってしまうおそれがない。また、シャワーホース１２０の一端側が、比較的高い位置に配置されたシャワーエルボ１１０によって止め付けられているため、従来のように長尺のシャワーホース１２０が洗い場床３を這うことがなく、足元の邪魔にならずに、安全が確保される。
【００３１】
（２）浴室用シャワー装置１００では特に、浴室ユニット１の下方に備えられたカウンタ２０と、シャワーヘッド１３０を上下に位置調節可能に保持するスライドシャワーフック１４１、及び、スライドシャワーフック１４１を上下に移動可能に案内するスライドバー１４２を有するシャワーヘッド保持部１４０と、を備え、管継手としてのシャワーエルボ１１０は、シャワーヘッド１３０がスライドシャワーフック１４１により位置調節の下限位置で保持されているときに、シャワーホース１２０がシャワーエルボ１１０とスライドシャワーフック１４１との間で垂下した折り返し部分１２０ｍがカウンタ２０上面２１に接触しない高さ位置でドア側壁パネル１４の内側の壁面１４ａに取り付けられている。
このため、垂れ下がったシャワーホース１２０の折り返し部分１２０ｍがカウンタ２０の上面２１に接触せず、カウンタ２０の清掃作業の妨げにならない。また、シャワーホース１２０自体も汚れにくくなり、衛生上好ましい。
【００３２】
（３）浴室用シャワー装置１００では特に、浴室ユニット１に、ドア側壁パネル１４接する壁パネル１１から浴室ユニット１の内側に突出し縁部がドア側壁パネル１４の内側の壁面１４ａに対向するように棚６１、６２、６３が配置され、管継手としてのシャワーエルボ１１０は、シャワーヘッド１３０がスライドシャワーフック１４１により保持されているときに、シャワーホース１２０がシャワーエルボ１１０から垂下した部分が、棚６１、６２、６３の縁部とドア側壁パネル１４の内側の壁面１４ａとの間（特定スペースｓ）に収まるように壁パネル１１からの距離が選択されてドア側壁パネル１４に取付けられている。
このため、不使用時のシャワーホース１２０が邪魔になり難い。例えば、不使用時のシャワーホース１２０やシャワーヘッド１３０が浴室ユニット１のドア４と干渉するおそれが少ない。この点は、特に浴室ユニット１がコンパクトなものである場合に顕著な利点となる。
【００３３】
（４）浴室用シャワー装置１００では特に、管継手としてのシャワーエルボ１１０に形成されたねじ部が螺合するねじ部（雌ねじ１６２）を一端側に有し、ドア側壁パネル１４貫通する筒状部１６１と、筒状部１６１の一端側に形成されたフランジ部１６３とを持ち、シャワーエルボ１１０と壁裏シャワー配管１５０とを接続する接続部材１６０と、接続部材１６０の浴室内側及び壁裏側に各対応して配された室内側押圧部材２１０及び壁裏側押圧部材２２０によりドア側壁パネル１４をフランジ部１６３を挟んで挟持押圧することで接続部材１６０の回転を阻止する回転止め構造部２００と、を有する
このため、接続部材１６０にシャワーエルボ１１０をねじ込んで接続するに際し、接続部材１６０の供回りが強固に阻止され、施工時の作業性に優れる。
【００３４】
（５）浴室用シャワー装置１００では特に、壁裏シャワー配管１５０は、壁面であるドア側壁パネル１４の裏面１４ｂ側を下端側接続部１５１から上方に延びて管継手としてのシャワーエルボ１１０への接続部である上端側接続部１５２に達する過程で屈曲している。即ち、ドア側壁パネル１４の裏面１４ｂ側で、この裏面１４ｂに平行な面内で、一端側の下端側接続部１５１と他端側の上端側接続部１５２とを通る直線に沿わない複数の部分を有して屈曲している。
このため、壁裏シャワー配管１５０は、細径であっても単調な直線状の配管に比し強度に優れ、且つ、温度変化による収縮や寸法公差に柔軟に対応し得る。
【００３５】
（６）浴室用シャワー装置１００では特に、管継手としてのシャワーエルボ１１０は、上端位置がスライドバー１４２の上端位置とが略同じ高さとなるようドア側壁パネル１４に取り付けられている。
このため、意匠性に優れる。
【００３６】
尚、本発明は上記実施形態に限定されるものではなく、本発明の目的を達成できる範囲での変形変更等は本発明に含まれる。
例えば、上記実施形態におけるシャワーヘッド保持部１４０は、シャワーヘッド１３０を上下に位置調節可能に保持する単一のスライドシャワーフック１４１と、スライドシャワーフック１４１を上下に移動可能に案内するスライドバー１４２とを含んで構成されていた。しかし、シャワーヘッド保持部１４０はこの態様には限られず、上下に位置を異にして配され選択的に用い得る複数のシャワーフックにより構成されていてもよい。この場合は、スライドバー１４２を有しない簡単な構成により、個々のシャワーフック毎に異なる不連続な選択的高さ位置で、シャワーヘッド１３０を保持することができる。
また、上述の実施形態では、操作部２３はベンチカウンタであるカウンタ２０の側方に配置されたが、この配置に限らず、操作部２３を浴室ユニット１の何れかの壁面に縦長に延びた中空壁面筐体に設けるなど、種々の配置を採ることが可能である。
【符号の説明】
【００３７】
１…浴室ユニット（浴室）
３…洗い場床（床）
５…水栓機構部
１１、１２、１３…壁パネル
１４…ドア側壁パネル
２０…カウンタ
２１…上面
２２…吐水部
２３…操作部
６１、６２、６３…棚
１００…浴室用シャワー装置
１１０…シャワーエルボ
１２０…シャワーホース
１２０ｍ…折り返し部分
１３０…シャワーヘッド
１４０…シャワーヘッド保持部
１４１…スライドシャワーフック
１４２…スライドバー
１５０…壁裏シャワー配管
１５１…下端側接続部
１５２…上端側接続部
１６０…接続部材
２００…回転止め構造部
２１０…室内側押圧部材
２２０…壁裏側押圧部材
【図１】
0006616683.tif 000002
【図２】
0006616683.tif 000003
【図３】
0006616683.tif 000004
【図４】
0006616683.tif 000005
【図５】
0006616683.tif 000006
【図６】
0006616683.tif 000007
【図７】
0006616683.tif 000008